(57)【要約】【課題】ＯＯＢ信号のための専用送受信回路、ＤＯＣＳＩＳ方式のための専用ケーブルモデムを内蔵する必要があり、回路規模が大きくコストが高くなると共に、消費電力が大きくなる。【解決手段】放送番組に関連するデータの送受信に先立ってデジタル放送受信機に接続されたコンディショナルアクセスカード(１１９)からのチューニングコマンドに対し、制御手段（１１５）が、チューニングが成功したことを示す擬似的コンファーメーションレスポンスを返す。【選択図】図１
2011254252.tif 000002
【特許請求の範囲】
【請求項１】
コンディショナルアクセスカードを接続可能なデジタル放送受信機の制御手段と、情報サーバとの間で、放送番組に関連するデータを、インターネットを介して送受信し、
前記コンディショナルアクセスカードが前記デジタル放送受信機に接続された状態で、前記情報サーバから送信され、前記制御手段で受信された、前記放送番組に関連するデータを、前記デジタル放送受信機内のバッファ手段により一時的に保持し、所定のレートで前記コンディショナルアクセスカードに供給するステップと、
前記放送番組に関連するデータの送受信に先立って前記デジタル放送受信機に接続されたコンディショナルアクセスカードからのチューニングコマンドに対し、前記制御手段が、チューニングが成功したことを示す擬似的コンファーメーションレスポンスを返すステップとを有する
ことを特徴とするデータ送受信方法。
【請求項２】
ケーブルテレビ局から前記デジタル放送受信機に、ケーブルを介して放送番組の映像音声データを送信するステップと、
前記放送番組の映像音声データを前記デジタル放送受信機から前記コンディショナルアクセスカードに供給するステップとをさらに有し、
前記コンディショナルアクセスカードにおいてコンディショナルアクセスの復号が行われることを特徴とする請求項１に記載のデータ送受信方法。
【請求項３】
前記放送番組に関連するデータが、前記コンディショナルアクセスカードにおける前記コンディショナルアクセスの復号に必要なデータを含むことを特徴とする請求項２に記載のデータ送受信方法。
【請求項４】
コンディショナルアクセスカードを接続可能なデジタル放送受信機において、
情報サーバから、放送番組に関連するデータを、インターネットを介して送受信するための送受信手段と、
インターネットを介して前記情報サーバとの間でコンディショナルアクセスの制御のためのデータの送受信を行う送受信手段と、
前記送受信手段により、前記情報サーバから送信された前記放送番組に関連するデータを一時的に蓄積するバッファ手段と、
前記バッファ手段に蓄積されたデータを所定のレートで前記コンディショナルアクセスカードに供給させる制御手段とを備え、
前記コンディショナルアクセスカードから出力されるデータは、前記送受信手段により、インターネットを介して、前記情報サーバに送信され、
前記放送番組に関連するデータの送受信に先立ち、前記コンディショナルアクセスカードからのチューニングコマンドに対し、チューニングが成功したことを示す擬似的コンファーメーションレスポンスを前記制御手段が返す
ことを特徴とするデジタル放送受信機。
【請求項５】
ケーブルテレビ局からケーブルを介して配信された放送番組のデータを受信する受信手段と、
前記受信手段で受信した放送番組のコンディショナルアクセスのためのコンディショナルアクセスカードに接続可能で、前記コンディショナルアクセスカードが接続された状態において、前記受信手段で受信した放送番組のデータを前記コンディショナルアクセスカードに送るインターフェースと、
前記コンディショナルアクセスカードで復号されたデータを処理し、出力するデータ処理手段と
をさらに備えることを特徴とする請求項４に記載のデジタル放送受信機。
【請求項６】
前記放送番組に関連するデータが、前記コンディショナルアクセスカードにおける前記コンディショナルアクセスの復号に必要なデータを含むことを特徴とする請求項５に記載のデジタル放送受信機。
【請求項７】
前記送受信手段が前記情報サーバと接続ができない場合、前記コンディショナルアクセスカードに通知して、コンディショナルアクセスの復号を行わないようにしたことを特徴とする請求項４から６のいずれかに記載のデジタル放送受信機。
【請求項８】
前記情報サーバから前記ケーブルを介して前記コンディショナルアクセスの制御のための情報を送受信するフロントエンドと、
前記フロントエンドのためのローカル電源とをさらに備え、
前記制御手段は、前記送受信手段により、インターネットを介して、前記コンディショナルアクセスの制御のための情報を受信することができる場合には、前記ローカル電源をオフとして、前記送受信手段により受信した、前記コンディショナルアクセスのための制御情報により、前記コンディショナルアクセスの制御を行う
ことを特徴とする請求項４から７のいずれかに記載のデジタル放送受信機。
【請求項９】
コンディショナルアクセスカードを接続可能なデジタル放送受信機において、
情報サーバから、放送番組に関連するデータを、インターネットを介して送受信するための送受信手段と、
インターネットを介して前記情報サーバとの間でコンディショナルアクセスの制御のためのデータの送受信を行う送受信手段と、
前記送受信手段により、前記情報サーバから送信された前記放送番組に関連するデータを一時的に蓄積するバッファ手段と、
前記バッファ手段に蓄積されたデータを所定のレートで前記コンディショナルアクセスカードに供給させる制御手段と、
ケーブルテレビ局から前記ケーブルを介して前記放送番組に関連するデータを送受信するフロントエンドと、
該フロントエンドのためのローカル電源とを備え、
前記制御手段は、前記送受信手段により、インターネットを介して、前記放送番組に関連するデータ受信することができる場合には、前記ローカル電源をオフとして、前記送受信手段により受信した、前記放送番組に関連するデータを利用して、前記放送番組の受信を行う
ことを特徴とするデジタル放送受信機。
【発明の詳細な説明】
【技術分野】
【０００１】
本発明は、デジタル放送を受信するデジタル放送受信機に関し、特にオープンケーブル規格に対応するデジタル放送受信機に関する。
【背景技術】
【０００２】
近年、各国において地上波のデジタル放送が始まり、アナログ放送を停止してデジタル放送に移行する動きが進んでいる。またケーブル放送においてもデジタル化が進んでいる。この中で米国や韓国ではオープンケーブルと呼ばれるケーブル放送方式を採用しており、非特許文献１にこの方式に基づく受信装置の要求仕様が開示されている。
【０００３】
オープンケーブル方式ではケーブルカードと呼ばれるコンディショナルアクセスカードが定義されており、コンディショナルアクセスの復号のほか、ＯＯＢ（アウトオブバンド）信号の処理を行う。ＯＯＢ信号は映像音声チャンネルとは異なる、専用に用意されたチャンネルを使用し、コンディショナルアクセスの情報や電子番組ガイド（ＥＰＧ）などをケーブルヘッドエンドと端末の間で送受信する際に利用される。ケーブルカードを使用したオープンケーブル対応の受信機の一例が特許文献１に示されている。
【０００４】
またＯＯＢ信号の伝送方法としては、ＱＰＳＫ変調方式を用いる方法と、ＱＡＭ変調方式を用いるＤＯＣＳＩＳ（Ｄａｔａ−Ｏｖｅｒ−Ｃａｂｌｅ  Ｓｅｒｖｉｃｅ  Ｉｎｔｅｒｆａｃｅ  Ｓｐｅｃｉｆｉｃａｔｉｏｎ）方式を基にしたＤＳＧ（ＤＯＣＳＩＳ  Ｓｅｔ−ｔｏｐ  Ｇａｔｅｗａｙ）を用いる方法の２種類があり、前者が非特許文献２、３に、後者が非特許文献４にそれぞれ開示されている。両者は同時に使用される事は無く、ケーブルテレビ局に応じていずれかひとつの方法が使用される。
【０００５】
一方、近年はＡＤＳＬや光ファイバの普及によりインターネットへのブロードバンド常時接続が一般的になってきており、デジタル放送受信機においてもブロードバンド接続環境を利用してインターネットに接続し、ビデオコンテンツをストリーミング再生することを可能にする商用サービスが発展してきている。
【先行技術文献】
【特許文献】
【０００６】
【特許文献１】特表２００８−５１０３５２号公報
【非特許文献】
【０００７】
【非特許文献１】ＯｐｅｎＣａｂｌｅ  Ｈｏｓｔ  Ｄｅｖｉｃｅ  ２．１  Ｃｏｒｅ  Ｆｕｎｃｔｉｏｎａｌ  Ｒｅｑｕｉｒｅｍｅｎｔｓ；  ＯＣ−ＳＰ−ＨＯＳＴ２．１−ＣＦＲ−Ｉ０９−０９０９０４，  Ｃａｂｌｅ  Ｔｅｌｅｖｉｓｉｏｎ  Ｌａｂｏｒａｔｏｒｉｅｓ，  Ｉｎｃ
【非特許文献２】ＡＮＳＩ／ＳＣＴＥ  ５５−１  ２００９，  Ｄｉｇｉｔａｌ  Ｂｒｏａｄｂａｎｄ  Ｄｅｌｉｖｅｒｙ  Ｓｙｓｔｅｍ：  Ｏｕｔ  Ｏｆ  Ｂａｎｄ  Ｔｒａｎｓｐｏｒｔ  Ｐａｒｔ  １：Ｍｏｄｅ  Ａ
【非特許文献３】ＡＮＳＩ／ＳＣＴＥ  ５５−２  ２００８，  Ｄｉｇｉｔａｌ  Ｂｒｏａｄｂａｎｄ  Ｄｅｌｉｖｅｒｙ  Ｓｙｓｔｅｍ：  Ｏｕｔ  Ｏｆ  Ｂａｎｄ  Ｔｒａｎｓｐｏｒｔ  Ｐａｒｔ  ２：Ｍｏｄｅ  Ｂ
【非特許文献４】ＤＯＣＳＩＳ  Ｓｅｔ−ｔｏｐ  Ｇａｔｅｗａｙ  （ＤＳＧ）  Ｉｎｔｅｒｆａｃｅ  Ｓｐｅｃｉｆｉｃａｔｉｏｎ，  ＣＭ−ＳＰ−ＤＳＧ−Ｉ１４−０９０５２９，  Ｍａｙ  ２９，  ２００９，  Ｃａｂｌｅ  Ｔｅｌｅｖｉｓｉｏｎ  Ｌａｂｏｒａｔｏｒｉｅｓ，  Ｉｎｃ
【発明の概要】
【発明が解決しようとする課題】
【０００８】
オープンケーブル規格に対応するデジタル放送受信機では、ＯＯＢ信号のための専用チューナ、変調部、復調部からなる送受信回路、ＤＯＣＳＩＳ方式のための専用チューナ、変調部、復調部からなるケーブルモデムを内蔵する必要があり、回路規模が大きくコストが高くなると共に、消費電力が大きくなるという課題がある。
【０００９】
本発明は、これらの課題を解決してコストを削減しながらユーザの利便性を損なわないデジタル放送受信機を得ることを目的とする。
【課題を解決するための手段】
【００１０】
本発明はこのような課題を解決するためになされたもので、本発明のデジタル放送受信機は、
コンディショナルアクセスカードを接続可能なデジタル放送受信機において、
情報サーバから、放送番組に関連するデータを、インターネットを介して送受信するための送受信手段と、
インターネットを介して前記情報サーバとの間でコンディショナルアクセスの制御のためのデータの送受信を行う送受信手段と、
前記送受信手段により、前記情報サーバから送信された前記放送番組に関連するデータを一時的に蓄積するバッファ手段と、
前記バッファ手段に蓄積されたデータを所定のレートで前記コンディショナルアクセスカードに供給させる制御手段とを備え、
前記コンディショナルアクセスカードから出力されるデータは、前記送受信手段により、インターネットを介して、前記情報サーバに送信され、
前記放送番組に関連するデータの送受信に先立ち、前記コンディショナルアクセスカードからのチューニングコマンドに対し、チューニングが成功したことを示す擬似的コンファーメーションレスポンスを前記制御手段が返す
ことを特徴とする。
【００１１】
本発明の別のデジタル放送受信機は、
コンディショナルアクセスカードを接続可能なデジタル放送受信機において、
情報サーバから、放送番組に関連するデータを、インターネットを介して送受信するための送受信手段と、
インターネットを介して前記情報サーバとの間でコンディショナルアクセスの制御のためのデータの送受信を行う送受信手段と、
前記送受信手段により、前記情報サーバから送信された前記放送番組に関連するデータを一時的に蓄積するバッファ手段と、
前記バッファ手段に蓄積されたデータを所定のレートで前記コンディショナルアクセスカードに供給させる制御手段と、
ケーブルテレビ局から前記ケーブルを介して前記放送番組に関連するデータを送受信するフロントエンドと、
該フロントエンドのためのローカル電源とを備え、
前記制御手段は、前記送受信手段により、インターネットを介して、前記放送番組に関連するデータ受信することができる場合には、前記ローカル電源をオフとして、前記送受信手段により受信した、前記放送番組に関連するデータを利用して、前記放送番組の受信を行う
ことを特徴とする。
【発明の効果】
【００１２】
本発明のデジタル放送受信機によれば、ＯＯＢ信号のための専用チューナ、変調部、復調部からなる送受信回路、ＤＯＣＳＩＳ方式のための専用チューナ、変調部、復調部からなるケーブルモデムを内蔵する必要がなくなるため、回路規模を削減して製造コストを下げることができる効果がある。
【００１３】
また、本発明の別のデジタル放送受信機によれば、不要な電力を消費することなく、ネットワークが利用できない場合でも従来ＯＯＢデータとして送信されていたのと同じ内容の、放送番組に関連するデータの通信を行うことができる。
【図面の簡単な説明】
【００１４】
【図１】この発明の実施の形態１のデジタル放送受信機を示すブロック図である。
【図２】図１のデジタル放送受信機をケーブルテレビ局の情報サーバ及びストリームサーバとともに示す図である。
【図３】この発明で用いられるアップストリームパケットを示す図である。
【図４】この発明で用いられるダウンストリームパケットを示す図である。
【図５】図１のＣＰＵの動作を示す図である。
【図６】この発明の実施の形態２のデジタル放送受信機を示すブロック図である。
【図７】図６のデジタル放送受信機をケーブルテレビ局の情報サーバ及びストリームサーバとともに示す図である。
【発明を実施するための形態】
【００１５】
実施の形態１．
図１は、この発明の実施の形態１におけるデジタル放送受信機１００の構成を示すブロック図であり、図２は、図１のデジタル放送受信機１００を、ケーブルテレビ局２００の諸機器及びストリームサーバ２４０とともに示す概略図である。
【００１６】
図１及び図２に示されるデジタル放送受信機１００は、例えば加入者乃至ユーザ宅に設置されたものであり、ケーブルテレビ局（ＣＡＴＶセンター）２００から送出され、ケーブル２５０を介して配信される放送番組を受信するように接続されるとともに、加入者宅内のモデム２５２により、インターネット２５４を介してケーブルテレビ局２００内の情報サーバ２０４に接続され、さらにストリームサーバ２４０にも接続されている。
【００１７】
ケーブルテレビ局２００は、放送番組の映像音声データの送信を行うものであり、情報サーバ２０４のほか、受信部２０６、ストリームサーバ２０８、及びヘッドエンド２１０を有する。
受信部２０６は、他のテレビ局（図示しない）から伝送されたデジタル放送番組を受信して送信するものである。ストリームサーバ２０８は、ビデオコンテンツを蓄積し、放送番組として出力する。
【００１８】
ヘッドエンド２１０は、受信部２０６及び／又はストリームサーバ２０８から出力される放送番組のデータストリームを混合してケーブル２５０に送出し、ケーブル２５０を介して加入者に配信する。
情報サーバ２０４は、放送番組以外のデータを送受信するもので、例えば、従来の構成において、ＯＯＢサーバと呼ばれるものがケーブルを介して送受信するのと同様のデータの送受信を行う。これらのデータは、ＯＯＢ規格に従うものとするのが好ましく、本願でも「ＯＯＢデータ」と呼ぶことがある。
【００１９】
ストリームサーバ２４０は、映像音声のデータストリームを、インターネット２５４を介して配信する。ストリームサーバ２４０は、ケーブルテレビ局２００内に設けられていても良く、別の場所に設けられていても良い。ケーブルテレビ局２００内に設けられる場合には、ストリームサーバ２４０はストリームサーバ２０８と同じものであっても良い。
【００２０】
ケーブルテレビ局２００とデジタル放送受信機１００の間では、ケーブル２５０を介して放送番組の映像音声データが送信されるだけでなく、放送番組の映像音声データの送信に付随乃至関連した情報の送受信が行われる。
【００２１】
このような情報には、コンディショナルアクセスのための制御情報（コンディショナルアクセスの復号、即ちスクランブルの解除のための鍵、機器固有情報を含む）、電子番組表、ＶＯＤのためのアプリケーション、その他のアプリケーションなどがある。以下では、これらの情報を「関連情報」と言う。関連情報は、情報の伝送方向により、ダウンストリームのデータ、即ちＦＤＣ（ｆｏｒｗａｒｄ  ｄａｔａ  ｃｈａｎｎｅｌ）情報とアップストリームのデータ、即ちＲＤＣ（ｒｅｖｅｒｓｅ  ｄａｔａ  ｃｈａｎｎｅｌ）情報とに分けることもできる。
【００２２】
デジタル放送受信機１００はさらに、インターネット２５４を介してストリームサーバ２４０から映像音声のデータを受信することも可能であり、その場合に、インターネット２５４を介して情報サーバ２０４とデジタル放送受信機１００との間で、映像音声のデータの送信に付随乃至関連したデータ（関連情報）の送受信を行うことも可能である。
【００２３】
デジタル放送受信機１００は、デジタルケーブル信号の入力端子１０１と、所望の映像音声チャンネルにチューニングするチューナ１０２と、ケーブル信号の復調を行う復調部１０３と、カードインターフェース１０４と、復号された信号を映像音声に分離するデマルチプレクサ（ＤＥＭＵＸ）１０５と、分離した映像音声をデコードするデコーダ１０６と、画質や音声の調整を行う映像音声処理部１０７と、映像の表示及び音声の出力を行う表示出力部１０８と、ネットワークに接続するイーサネット端子１１１（「イーサネット」は登録商標）と、通信インターフェースとして用いられているイーサネットコントローラ１１２と、関連情報を一時蓄えるバッファ１１３と、クロック発生回路１１４と、ＣＰＵ１１５と、プログラムメモリ１１６と、ワーキングメモリ１１７と、操作指示受信部１１８とを有する。
【００２４】
上記のうち、チューナ１０２と、復調部１０３とで受信手段が構成され、デマルチプレクサ１０５と、デコーダ１０６と、映像音声処理部１０７と、表示出力部１０８とで、データ処理手段が構成されている。
【００２５】
操作指示受信部１１８は、ユーザにより操作指示入力が行なわれる、例えばキー入力手段やリモコンで構成される操作指示入力部（図示しない）からの信号を受け、ＣＰＵ１１５に伝える。
【００２６】
デジタル放送受信機１００には、コンディショナルアクセスカードとしてのケーブルカード１１９を挿入するためのスロット（図示しない）が設けられており、ケーブルカード１１９は、スロットに挿入されたときに、カードインターフェース１０４と接続され、後述のように復調部１０３から入力される映像、音声データのコンディショナルアクセスの復号（スクランブル解除）を行う。ケーブルカード１１９は、さらに、コンテンツ保護のための複製防止の機能を有する。
【００２７】
ＣＰＵ１１５は、プログラムメモリ１１６に記憶されたプログラムに従って動作する。例えば、従来と同様のケーブルカード制御ソフトウェアがプログラムメモリ１１６に格納されており、ＣＰＵ１１５はこれを実行する。ＣＰＵ１１５はまた、イーサネット端子１１１、イーサネットコントローラ１１２、バッファ１１３及びクロック発生回路１１４を制御する。ＣＰＵ１１５はチューナ１０２、復調部１０３、デマルチプレクサ１０５、デコーダ１０６、映像音声処理部１０７、表示出力部１０８に対して制御を行う。制御のための制御信号を伝える信号線が図では点線で示されている。
【００２８】
イーサネット端子１１１は、モデム２５２を通してインターネット２５４により情報サーバ２０４及びストリームサーバ２４０に接続されている。イーサネットコントローラ１１２は、イーサネット端子１１１を介して行われる通信の制御を行う。
【００２９】
ケーブルテレビ局２００のヘッドエンド２１０からの放送番組を構成する映像音声信号の伝送には、例えば５４ＭＨｚ〜８６４ＭＨｚの周波数帯が用いられ、各チャンネルには、６ＭＨｚの帯域幅が割り当てられ、ＱＡＭ６４又はＱＡＭ２５６変調方式で変調された映像音声信号が伝送される。デジタル放送受信機１００では、配信された映像音声信号を入力端子１０１で受ける。
【００３０】
チューナ１０２は例えばキー入力手段やリモコン（図示しない）の操作により指定されたユーザが所望する特定の映像音声チャンネルにチューニングし、復調部１０３は、チューナ１０２の出力を復調してビットストリームを出力する。このビットストリームはコンディショナルアクセスのためにスクランブルされており、スクランブル解除（デスクランブル）するためにケーブルカード１１９に入力される。
【００３１】
ケーブルカード１１９においてデスクランブルされたビットストリームは、デマルチプレクサ１０５において映像ストリームと音声ストリームに分離され、デコーダ１０６によってデコードされる。その後映像音声処理部１０７によって画質や音声の調整を行い、表示出力部１０８によって映像の表示及び音声の出力を行う。これらの動作もＣＰＵ１１５によって制御される。
【００３２】
一方、ストリームサーバ２４０や情報サーバ２０４から配信された、インターネット２５４上のＩＰパケットはイーサネットコントローラ１１２を通してＣＰＵ１１５に伝送される。
【００３３】
ＣＰＵ１１５は予め用意され、プログラムメモリ１１６に格納されたアクセスソフトウェアを実行し、インターネット２５４を介してストリームサーバ２４０に接続して認証動作を行い、映像音声のストリーム配信を受ける。
【００３４】
映像音声のストリームデータはＵＤＰ（Ｕｓｅｒ  Ｄａｔａｇｒａｍ  Ｐｒｏｔｏｃｏｌ）トランスポートプロトコルを用いたものであり、図４に示されるようにＵＤＰパケットのペイロードに分割して搭載されて、該ＵＤＰパケットを含むＩＰパケットがＣＰＵ１１５に配信される。
【００３５】
ＣＰＵ１１５はワーキングメモリ１１７を利用してストリームデータを蓄積再現し、デマルチプレクサ１０５に出力する。デマルチプレクサ１０５、デコーダ１０６、映像音声処理部１０７、及び表示出力部１０８は前記したケーブル信号の場合と同様に動作し、表示出力部１０８によって、ケーブル信号の場合と同様に映像を表示し、又音声を出力する。
【００３６】
情報サーバ２０４はストリームサーバ２４０と同様にインターネット２５４に接続されて設置される。
【００３７】
従来のケーブルテレビ局に設けられた情報サーバは、ＯＯＢデータを、ケーブル２５０を介して伝送するものであり、ＱＰＳＫ変調に基づく物理レイヤーと、ＭＡＣサブレイヤーを含むデータリンクレイヤーを用いるが、本発明で想定している情報サーバ２０４はインターネット２５４の物理レイヤー及びデータリンクレイヤーによりＯＯＢデータの伝送を行う。
【００３８】
情報サーバ２０４からのＯＯＢデータは、ストリームサーバ２４０からのストリームデータと同様にインターネット２５４のＵＤＰトランスポートプロトコルを用いたものであり、図４に示されるようにＵＤＰパケットに分割して搭載され、該ＵＤＰパケットを含むＩＰパケットがＣＰＵ１１５に配信される。
【００３９】
ケーブルテレビ局２００の情報サーバ２０４からインターネット２５４を介してデジタル放送受信機１００にＯＯＢデータが送信される場合（ダウンストリームの場合）、ＣＰＵ１１５はワーキングメモリ１１７を利用してストリームデータを蓄積し、ＵＤＰパケットからＯＯＢデータを取り出してバッファ１１３に供給する。
【００４０】
クロック発生回路１１４ではケーブルカード１１９に伝送するためのＯＯＢクロックを発生し、バッファ１１３に供給する。
【００４１】
クロック発生回路１１４で発生されるクロックは、データ伝送を同期させるために用いられるものであり、従来のようにＯＯＢ信号がＱＰＳＫ変調され、ケーブル２５０を介して伝送される場合に用いられるクロックと同じ周波数に設定されている。なお、従来の技術では、ＱＰＳＫ復調回路又はＱＰＳＫ変調回路にクロックを発生する回路が設けられているが、インターネット２５４を介してＯＯＢデータを受ける場合には、ＱＰＳＫ復調回路及びＱＰＳＫ変調回路が不要となるので、その代わりにクロック発生回路１１４のみを設けているのである。なお、ここで言うクロック発生回路１１４は、発振器を内蔵するものとは限らず、外部の発振器からの信号を受けて所望の周波数のクロックを発生するものであっても良い。
【００４２】
バッファ１１３ではクロック発生回路１１４で発生されるクロックに基づき、受信したＯＯＢデータをケーブルカード１１９に供給する。そのためケーブルカード１１９は従来と同じように（ＱＰＳＫ変調されたＯＯＢデータがケーブル２５０を介して伝送される場合と同じように）動作することができる。
【００４３】
一方、デジタル放送受信機１００から情報サーバ２０４にインターネット２５４を介してＯＯＢデータを送信する場合（アップストリームの場合）、クロック発生回路１１４で発生したクロックをケーブルカード１１９に供給しケーブルカード１１９で発生されたデータをバッファ１１３で受信する。この場合に使用されるクロックも従来と同じ周波数に設定する。
【００４４】
ケーブルカード１１９のデータはバッファ１１３に蓄積され、ＣＰＵ１１５の指令によってワーキングメモリ１１７に転送され、図３に示されるＵＤＰパケットにまとめられる。このＵＤＰパケットを含むＩＰパケットはイーサネットコントローラ１１２を通じてインターネット２５４上の情報サーバ２０４に伝達され処理される。
【００４５】
次に、図３を参照してアップストリームの場合のパケット構成を説明する。
ケーブルカード１１９で生成されるデータリンクレイヤーのプロトコルデータユニット３０１は、リンクレイヤヘッダ３０２と、プロトコルデータユニット３０３と、パディングデータとしてのヌルデータ３０４と、リンクレイヤトレーラ３０５とから構成されている。
【００４６】
これらのデータユニット３０１はＯＯＢ規格に従って４８バイト単位のデータ３１１に分割され、ＵＤＰパケット３２１のデータとして搭載される。
【００４７】
ＵＤＰパケット３２１は、４８バイト単位のデータ３１１を搭載したデータブロック３２６のほかに、送信元すなわちデジタル放送受信機１００が使用しているポート番号３２２と、宛先すなわち情報サーバ２０４が使用しているポート番号３２３と、メッセージ長３２４と、チェックサム３２５とを有する。
【００４８】
次に図４を参照してダウンストリームの場合のパケット構成を説明する。ＭＡＣサブレイヤのプロトコルデータユニット４０１は、ヘッダ４０２と、メッセージ４０３と、ＣＲＣ４０４とから構成されている。
これらのデータ４０１は一旦ＯＯＢ規格に従いＭＰＥＧ２トランスポートストリームのプライベートストリーム４１１として再構成され、ＵＤＰパケット４２１のデータとして搭載される。
【００４９】
ＵＤＰパケット４２１は、プライベートストリーム４１１を搭載したデータブロック４２６のほかに、送信元すなわち情報サーバ２０４が使用しているポート番号４２２と、宛先すなわちデジタル放送受信機１００が使用しているポート番号４２３と、メッセージ長４２４と、チェックサム４２５とを有する。
【００５０】
上記のように、従来と同様のケーブルカード制御ソフトウェアがプログラムメモリ１１６に格納されており、ＣＰＵ１１５はこれを実行する。
【００５１】
情報サーバ２０４とデジタル放送受信機との間で、ＯＯＢデータのやり取りを開始する際に行われる処理の一部を図５に示す。図５はＣＰＵ１１５とケーブルカード１１９のコマンドとレスポンスを示すもので、情報サーバ２０４からのサインオン要求に基づきケーブルカード１１９より送信周波数のチューニングコマンド５０１が送信された場合は、ＣＰＵ１１５はチューニングが成功したことを示す値「０」を以って擬似のコンファメーションレスポンス５０２のみを返す。
【００５２】
即ち、従来の構成では、ケーブルを介してＯＯＢ信号を受信するチューナによるチューニングが成功した場合には、成功したことを示す値「０」のコンファメーションレスポンスをＣＰＵ１１５がケーブルカード１１９に返すが、インターネット２５４を介して配信を受ける場合には、そのようなチューニングは行われないため、チューニングを確認することなく、擬似コンファメーションレスポンスを返すこととし、これにより、ケーブルカード１１９は、ケーブル２５０を介してＯＯＢデータの送受信を行う場合と同様の信号を受けて処理を行うことができる。
【００５３】
また、情報サーバ２０４から受信周波数のチューニングコマンド５０３が送信された場合も、ＣＰＵ１１５はチューニングが成功したことを示す値「０」を以って擬似のコンファメーションレスポンス５０４のみを返す。これにより従来のケーブルカードが使用されている場合であっても（ケーブル２５０を介してデータの伝送を行うことを前提としたケーブルカードが使用されている場合であっても）、擬似レスポンスを返すことによって通信を継続することができ、情報サーバより必要な信号の伝送を行うことができる。
【００５４】
また、情報サーバ２０４とのインターネット接続が途切れた場合、即ち、イーサコントローラ１１２が情報サーバ２０４との接続を確認できない場合、ＣＰＵ１１５はケーブルカード１１９に通知してデスクランブルをキャンセルする（即ちコンディショナルアクセスの復号を行わないようにする）。これにより、放送コンテンツの保護を行うことができる。
【００５５】
インターネット伝送のアプリケーション層として様々なものを利用することができ、例えばセキュアな通信(暗号化技術を用いた通信)においてよく使用されるＳＳＨ（Ｓｅｃｕｒｅ  Ｓｈｅｌｌ）技術や、ＨＴＭＬ（Ｈｙｐｅｒ  Ｔｅｘｔ  Ｍａｒｋｕｐ  Ｌａｎｇｕａｇｅ）などを使用することができる。またトランスポートプロトコルとしてＵＤＰを用いたが、ＴＣＰ（Ｔｒａｎｓｍｉｓｓｉｏｎ  Ｃｏｎｔｒｏｌ  Ｐｒｏｔｏｃｏｌ）又はその他の技術を使用しても同様の効果が得られる。
【００５６】
実施の形態２．
図６はこの発明の実施の形態２のデジタル放送受信機１２０を示すブロック図であり、図７は、図６のデジタル放送受信機１２０を、ケーブルテレビ局２００内の諸機器及びストリームサーバ２４０とともに示す概略図である。
【００５７】
図６に示すデジタル放送受信機１２０は、図１のデジタル放送受信機１００と概して同じであり、図１と同じ番号は、同様の部材を示すが、図１に示される要素のほかに、ダイプレクサ１２１と、ＯＯＢフロントエンド１３１と、ローカル電源１４０と、選択部１４１及び１４２とを備えている点で異なる。
【００５８】
また、図７に示される情報サーバ２０４は、実施の形態１と同様に、インターネット２５４に接続されるのみならず、ヘッドエンド２１０にも接続され、関連情報をＯＯＢデータとして、インターネット２５４を介して送受信するだけでなく、ヘッドエンド２１０及びケーブル２５０を介してＯＯＢ信号として送受信することもできる構成となっている。
【００５９】
ヘッドエンド２１０は、図２のヘッドエンド２１０と同様に、受信部２０６及びストリームサーバ２０８からの放送番組のデータストリーム、並びに情報サーバ２０４からの関連情報を混合して出力する。情報サーバ２０４からの関連情報の送信に用いられる周波数帯域は、映像音声データの送信に用いられる周波数帯域とは異なる。
【００６０】
ヘッドエンド２１０はさらに、後述のようにデジタル放送受信機１２０からのデータを受信し、情報サーバ２０４に供給する。情報サーバ２０４は、従来の構成において、ＯＯＢ信号として加入者のデジタル放送受信機との間でデータの送受信を行うＯＯＢサーバに相当するものである。
【００６１】
デジタル放送受信機１２０のＯＯＢフロントエンド１３１は、ＱＰＳＫ方式のＯＯＢ信号にチューニングするチューナ１３２と、ＱＰＳＫ信号の復調を行うＱＰＳＫ復調部１３３と、ＱＰＳＫ方式に変調するＱＰＳＫ変調部１３４と、ＱＡＭ方式に変調するＱＡＭ変調部１３５と、ＱＰＳＫ変調部１３４又はＱＡＭ変調部１３５のいずれかの信号を選択出力する選択部１３６と、ＱＡＭ方式のＤＳＧ信号にチューニングするチューナ１３７と、ＱＡＭ信号の復調を行う復調部１３８とを有する。
【００６２】
ローカル電源１４０は、ＯＯＢフロントエンド１３１のために設けられた専用の電源であり、ＣＰＵ１１５によりそのオン、オフが制御される。
【００６３】
選択部１４１は、ＱＰＳＫ復調部１３３からのＯＯＢ信号とバッファ１１３からのＯＯＢ信号のいずれかを選択してカードインターフェース１０４を介してケーブルカード１１９に供給し、選択部１４２は、ケーブルカード１１９からカードインターフェース１０４を介して出力される信号を、ＱＰＳＫ変調部１３４又はバッファ１１３のいずれかに供給する。
【００６４】
選択部１４１と選択部１４２は連動して動作するものであり、選択部１４１がＱＰＳＫ復調部１３３の出力を選択しているときは、選択部１４２は、ＱＰＳＫ変調部１３４へ信号を供給し、選択部１４１がバッファ１１３の出力を選択しているときは、選択部１４２は、バッファ１１３へ信号を供給する。
【００６５】
映像音声信号及びＯＯＢ信号を含むヘッドエンド２１０からのＲＦ信号は入出力端子１０１に入力される。
入出力端子１０１に接続されたダイプレクサ１２１はダウンストリームとアップストリームの分離を行う。
【００６６】
ダウンストリームはチューナ１０２、１３２及び１３７に供給される。チューナ１０２に供給された信号に対する処理は、実施の形態１の動作と同じである。
【００６７】
ＱＰＳＫ変調されたＯＯＢ信号は、チューナ１３２によりチューニングされ、ＱＰＳＫ復調部１３３により復調されて選択部１４１に供給され、バッファ１１３の出力のＯＯＢ信号も選択部１４１に供給され、いずれかひとつ（ＱＰＳＫ復調部１３３の出力又はバッファ１１３の出力）が、ケーブルカード１１９に供給される。
【００６８】
ＣＰＵ１１５はデジタル放送受信機１００の起動時、或いはケーブルカード１１９の挿入時に情報サーバ２０４との接続を行う。
ＣＰＵ１１５は、情報サーバ２０４がネットワーク上に存在してＯＯＢ信号が得られる場合は選択部１４１にバッファ１１３の出力を選択させ、得られない場合はＱＰＳＫ復調部１３３の出力を選択させる。
【００６９】
一方、ＤＳＧ方式によるＯＯＢ信号はチューナ１３７によりチューニングされ、ＱＡＭ復調部１３８により復調されて、ＣＰＵ１１５に供給され、ＣＰＵ１１５とケーブルカード１１９の制御空間に規定された拡張チャンネル（ｅｘｔｅｎｄｅｄ  ｃｈａｎｎｅｌ）を通じてケーブルカード１１９に供給される。
【００７０】
アップストリームの場合、ケーブルカード１１９からの信号が選択部１４２に供給され、選択部１４２は、ＣＰＵ１１５の制御に従いＱＰＳＫ変調部１３４又はバッファ１１３のいずれかに供給する。即ち、ＱＰＳＫ方式による場合には、ＱＰＳＫ変調部１３４に供給し、ネットワークによる配信の場合には、バッファ１１３に供給する。
【００７１】
ＯＯＢ信号がＱＰＳＫ変調部１３４に供給された場合には、ＱＰＳＫ変調部１３４では、ＯＯＢ信号をＱＰＳＫ変調し、選択部１３６に供給する。一方、ＯＯＢ信号がバッファ１１３に供給された場合の動作は、実施の形態１と同じである。
【００７２】
即ち、ケーブルカード１１９のデータはバッファ１１３に蓄積され、ＣＰＵ１１５の指令によってワーキングメモリ１１７に転送され、ＵＤＰパケットにまとめられる。
このＵＤＰパケットを含むＩＰパケットはイーサネットコントローラ１１２を通じてインターネット２５４上の情報サーバ２０４に伝達され処理される。
【００７３】
一方、ＤＳＧ方式によるＯＯＢ信号は、拡張チャンネル（ｅｘｔｅｎｄｅｄ  ｃｈａｎｎｅｌ）を通じてケーブルカード１１９からＣＰＵ１１５に供給され、ＣＰＵ１１５よりＱＡＭ変調部１３５に供給される。
【００７４】
ＱＰＳＫ変調部１３４とＱＡＭ変調部１３５の出力は選択部１３６に供給される。
選択部１３６は、ＣＰＵ１１５の制御のもとで動作し、ヘッドエンド２１０がＱＰＳＫ方式を選択している場合はＱＰＳＫ変調部１３４の出力を選択し、ＤＳＧ方式を選択している場合はＱＡＭ変調部１３５の出力を選択し、選択した出力をダイプレクサ１２１、及び入出力端子１２を介して、ヘッドエンド２１０に伝達される。
【００７５】
これらのＯＯＢ信号の伝送に関与するチューナ１３２、１３７や復調部１３３、１３８、変調部１３４、１３５、及び選択部１３６は、フロントエンド１３１を構成し、このフロントエンド１３１には専用のローカル電源１４０によって電源が供給される。
【００７６】
ＣＰＵ１１５はデジタル放送受信機１００の起動時、或いはケーブルカード１１９の挿入時に情報サーバ２０４との接続を試み、情報サーバ２０４がネットワーク上に存在してＯＯＢ信号が得られる場合はローカル電源１４０を制御してフロントエンド１３１に電源を供給しないようにし、情報サーバ２０４がネットワーク上に存在せずＯＯＢ信号が得られない場合はローカル電源１４０を制御してフロントエンド１３１に電源を供給し、従来と同様フロントエンド１３１を用いてＯＯＢの送受信を行う。
これにより不要な電力を消費することなく、ネットワークが利用できない場合でもＯＯＢ通信を行うことができる。
【００７７】
なお、実施の形態１においても情報サーバ２０４がインターネット２５４に接続され、ヘッドエンド２１０に接続されていないものとして説明したが、情報サーバ２０４がヘッドエンド２１０を介してケーブルに接続され、ケーブル２５０に関連情報を常に出力している構成であっても良い。その場合にも、デジタル放送受信機の側で、ケーブル２５０を介して送信された関連情報を受信する機能を持たないデジタル放送受信機においては、ケーブル２５０を介して送信される関連情報を受信せず、実施の形態１で説明したように、インターネット２５４を介して関連情報のやり取りを行うことになる。
【符号の説明】
【００７８】
１００  デジタル放送受信機、  １１１  イーサネット端子、  １１２  イーサネットコントローラ、  １１３  バッファ、  １１４  クロック発生回路、  １１５  ＣＰＵ、  １１９  ケーブルカード、  １３１  フロントエンド、  １４０  ローカル電源、  １４１、１４２  選択部、  ２００  ケーブルテレビ局、  ２０４  情報サーバ、  ２１０  ヘッドエンド、  ２４０  ストリームサーバ、  ２５４  インターネット。
【図１】
2011254252.tif 000003
【図２】
2011254252.tif 000004
【図３】
2011254252.tif 000005
【図４】
2011254252.tif 000006
【図５】
2011254252.tif 000007
【図６】
2011254252.tif 000008
【図７】
2011254252.tif 000009